(57)【要約】【課題】設定条件の確認及び、設定変更の際に最適な画像形成装置の提供。【解決手段】本発明は、実行可能な機能を示す複数の設定項目を表示する画面と、当該設定項目毎に備えられた設定画面とを操作画面として表示可能な画像形成装置を前提とする。そして、本発明の画像形成装置は、既設定項目表示受付手段を備える。既設定項目表示受付手段は、設定項目毎に備えられた設定画面にユーザにより設定条件が入力されると、設定画面に対応する設定項目を既設定項目として操作画面に表示させることを特徴とする。【選択図】図４
2010268147.tif 000002
【特許請求の範囲】
【請求項１】
実行可能な機能を示す複数の設定項目を表示する画面と、当該設定項目毎に備えられた設定画面とを操作画面として表示可能な画像形成装置において、
前記設定項目毎に備えられた設定画面にユーザにより設定条件が入力されると、当該設定画面に対応する設定項目を既設定項目として前記操作画面に表示する既設定項目表示受付手段を備えることを特徴とする画像形成装置。
【請求項２】
前記既設定項目表示受付手段が表示した既設定項目がユーザにより選択されると、当該既設定項目に対応する設定画面を表示する画面切替手段を更に備えた請求項１に記載の画像形成装置。
【請求項３】
前記既設定項目表示手段が表示した既設定項目がユーザにより選択されると、選択された既設定項目の設定条件で画像形成される仕上がりイメージを模した画像をポップアップ表示するポップアップ画像表示手段を更に備えた、請求項１または２に記載の画像形成装置。
【請求項４】
前記既設定項目表示手段が表示した既設定項目がユーザにより二以上選択されると、前記ポップアップ画像表示手段が、選択された二以上の既設定項目の設定条件で組み合わされて画像形成される画像をポップアップ表示する、請求項３に記載の画像形成装置。
【請求項５】
前記操作画面に既設定項目枠を設け、前記既設定項目表示受付手段が、設定項目が設定された順序で前記既設定項目枠内に既設定項目を表示する、請求項１から４いずれか一項に記載の画像形成装置。
【請求項６】
入力された設定条件による画像形成が終了後も、前記既設定項目表示受付手段が、前記既設定項目の表示を所定時間継続する請求項１から５いずれか一項に記載の画像形成装置。
【発明の詳細な説明】
【技術分野】
【０００１】
本発明は、画像形成装置に関し、複数の設定項目で設定を行う際に最適な画像形成装置である。
【背景技術】
【０００２】
画像形成装置には様々な機能が付加されており、デフォルトの設定だけでなく、様々な設定を行って画像形成するユーザが増えている。この場合、複数の設定条件を設定中に、ユーザ本人が既に設定した条件を確認したい場合も多いと思われる。更に、既に設定した条件を確認後、当該設定条件を変更したい場面も多いと思われる。このように、設定条件を確認する場合や、上記設定条件を変更する場合、ユーザは、現在表示されている画面の表示を初期画面に戻し、更に、当該初期画面を設定変更が可能な設定画面を選択することで、設定条件の確認や変更が可能な設定画面が表示する必要がある。そして、ユーザは、当該設定画面で設定条件を確認し、当該設定変更を行う。
【０００３】
特に複数の設定条件を確認及び変更する場合、画面を何度も移動する必要があるのは、ユーザにとって不都合である。このため特許文献１には、設定変更のための画面が、確定キーの押下によって遷移していく技術が開示されている。
【先行技術文献】
【特許文献】
【０００４】
【特許文献１】特開２００７−３１２１０１
【発明の概要】
【発明が解決しようとする課題】
【０００５】
上記従来技術は、ユーザが設定変更すると思われる順序に従って、設定変更画面を当該順序で遷移させる技術である。しかしながら、通常、設定変更したい項目を設定変更できるのは、一つの設定変更画面なので、ユーザは、当該設定変更したい項目への画面を直ぐに表示させたいであろう。上記従来技術のように、変更する必要の無い画面にまで遷移するとそれだけ余分に時間がかかると思われる。
【０００６】
したがって、ユーザが条件を直ぐに確認でき、更に、設定変更したい画面を直ぐに表示可能な画像形成装置が要請されていた。
【課題を解決するための手段】
【０００７】
上記課題を解決するための本発明は、実行可能な機能を示す複数の設定項目を表示する画面と、当該設定項目毎に備えられた設定画面とを操作画面として表示可能な画像形成装置を前提とする。そして、本発明の画像形成装置は、既設定項目表示受付手段を備える。既設定項目表示受付手段は、設定項目毎に備えられた設定画面にユーザにより設定条件が入力されると、設定画面に対応する設定項目を既設定項目として操作画面に表示することを特徴とする。
【０００８】
上記の構成であると、ユーザが設定した内容が既設定項目として操作画面に表示されるので、ユーザは、設定した内容を直ぐに確認することが可能となる。
【０００９】
上記の構成において、既設定項目表示受付手段が表示した既設定項目がユーザにより選択されると、既設定項目に対応する設定画面を表示する画面切替手段を更に備えると、既設定項目を選択することで、画面切替手段により、操作画面が設定画面切り替えられるので、ユーザは切り替えられた設定画面から設定条件の変更が可能となる。したがって、初期画面に戻ることなく、設定条件の変更が可能となる。
【００１０】
上記の構成において、既設定項目表示手段が表示した既設定項目がユーザにより選択されると、選択された既設定項目の設定条件で画像形成される仕上がりイメージを模した画像をポップアップ表示するポップアップ画像表示手段を更に備えることが望ましい。上記の構成であれば、選択された既設定項目の設定条件で画像形成される仕上がりイメージがポップアップ表示されると、ユーザが設定条件を直ぐに認識できる。
【００１１】
上記の構成において、既設定項目表示手段が表示した既設定項目がユーザにより二以上選択されると、ポップアップ画像表示手段が、選択された二以上の既設定項目の設定条件で組み合わされて画像形成される画像をポップアップ表示することが望ましい。上記の構成であると、ユーザが組み合わされた設定条件を直ぐに認識できる。
【００１２】
更に、操作画面に既設定項目枠を設け、既設定項目表示受付手段が、設定項目が設定された順序で前記既設定項目枠内に表示する事が望ましい。
【００１３】
更に、入力された設定条件による画像形成が終了後も、既設定項目表示受付手段が、既設定項目の表示を所定時間継続する構成を採用することで、画像形成後にも所定時間設定条件を変更することが可能であるので望ましい。
【発明の効果】
【００１４】
本発明の画像形成装置によると、画像形成装置の操作中にユーザ本人が設定した設定条件が既設定項目として操作画面に表示されるので、ユーザは、当該設定条件を簡単に確認することができる。更に、既設定項目を選択することで、当該既設定項目の設定条件を変更することが可能な設定画面が操作画面に表示されるので、ユーザは、設定条件を変更するために、初期画面に戻る必要がなくなる。
【図面の簡単な説明】
【００１５】
【図１】本発明の実施形態に係る画像形成装置の全体構成を示す図である。
【図２】本発明の実施形態に係る画像形成装置の操作部を示す図である。
【図３】本発明の実施形態に係る画像形成装置の制御系ハードウェアの構成を示す図である。
【図４】本発明の実施形態に係る画像形成装置の機能ブロック図である。
【図５】本発明の実施形態に係る画像形成装置の既設定項目の表示処理のフローチャートである。
【図６】本発明の実施形態に係る画像形成装置の既設定項目の表示処理のフローチャートである。
【図７】本発明の実施形態に係る画像形成装置のタッチパネルに表示される操作画面の例を示す図である。
【図８】本発明の実施形態に係る画像形成装置のタッチパネルに表示される操作画面の例を示す図である。
【図９】本発明の実施形態に係る画像形成装置のタッチパネルに表示される操作画面の例を示す図である。
【図１０】本発明の実施形態に係る画像形成装置の既設定項目の表示処理のフローチャートである。
【図１１】本発明の実施形態に係る画像形成装置の既設定項目の表示処理のフローチャートである。
【図１２】本発明の実施形態に係る画像形成装置の機能ブロック図である。
【図１３】本発明の実施形態に係る画像形成装置のポップアップ画像記憶手段に記憶されるポップアップ画像テーブルと、タッチパネルに表示される操作画面の例を示す図である。
【図１４】本発明の実施形態に係る画像形成装置のポップアップ画像記憶手段に記憶されるポップアップ画像テーブルと、タッチパネルに表示される操作画面の例を示す図である。
【発明を実施するための形態】
【００１６】
（画像形成装置）
以下に、本発明に係る画像形成装置について説明する。図１は、折り装置と製本装置とが接続された画像形成装置の概略模式図である。ただし、本発明に直接には関係しない各部の詳細は省略している。
【００１７】
なお、本発明の画像形成装置は、例えばプリンタやスキャナ単体、あるいはプリンタ、コピー、スキャナ、ファックス等を備えた複合機等が該当し、コピーサービス、スキャナサービス、ファクシミリサービス、プリンタサービス等を備えた画像形成装置として機能する。以下に、例えばコピーサービスを利用する場合の複合機１００の動作を簡単に説明する。
【００１８】
例えば原稿Ｐのコピーサービスを実現する場合、ユーザは原稿Ｐを複合機１００に備えられている原稿台１０１に載置し、原稿台１０１近傍に設けられた操作部２００からコピーサービスに関する設定を入力する。この操作部２００には、複合機１００が提供する機能に関連する複数の設定項目が画面に表示されており、ユーザの選択によって設定項目の選択、すなわち、コピーサービスに関する設定の入力が行なわれる。
【００１９】
設定の入力が終了後、ユーザは操作部２００に設けられたスタートキーを押下して、複合機１００に印刷処理を開始させる。印刷処理が開始されると、画像読取部１０３において、光源１０４から照射された光が、原稿台１０１に置かれた原稿Ｐに反射される。反射された光は、ミラー１０５、１０６、１０７によって撮像素子１０８に導かれる。導かれた光は上記撮像素子１０８により光電変換されて、原稿Ｐの画像が、基本的な補正処理、画質処理、圧縮処理等を施され、画像データとなる。ここで、画像データは、複合機１００に接続されたケーブル１０９を介して他機から当該複合機１００に受信される場合もある。
【００２０】
ところで、画像データが生成されると、当該画像データは画像形成部１１０に送られ、伸張処理を施され、トナー像として転写されることとなる。画像形成部１１０には感光体ドラム１１１が備えられており、当該感光体ドラム１１１は、一定速度で所定の方向に回転し、その周囲には、回転方向の上流側から順に、帯電器１１２、露光ユニット１１３、現像器１１４、転写器１１５、クリーニングユニット１１６などが配置されている。
【００２１】
帯電器１１２は、感光体ドラム１１１の表面を一様に帯電させる。露光ユニット１１３は、帯電された感光体ドラム１１１の表面に、画像データに基づいてレーザーを照射し、静電潜像を形成する。現像器１１４は、搬送された静電潜像に、トナーを付着させてトナー像を形成する。形成されたトナー像は、転写器１１５により、記録媒体（例えば、シート）に転写される。クリーニングユニット１１６は、感光体ドラム１１１の表面に残された余分なトナーを取り除く。これらの一連のプロセスは、感光体ドラム１１１が回転することにより実行される。
【００２２】
上述したシートは、複合機１００に備えられた複数の給紙カセット１１７から搬送される。搬送される時に、シートはピックアップローラ１１８により、何れか１つの給紙カセット１１７から搬送路へ引き出される。上記各給紙カセット１１７には、それぞれ異なる紙種のシートが収容されており、ユーザが入力した設定に基づいてシートが給紙される。
【００２３】
搬送路に引き出されたシートは、搬送ローラ１１９やレジストローラ１２０により感光体ドラム１１１と転写器１１５の間に送り込まれる。送り込まれると、上記シートは上記転写器１１５により上記トナー像が転写され、定着装置１２１に搬送される。尚、搬送ローラ１１９に搬送されるシートは、複合機に備えられた手差しトレイ１２２から搬送される場合もある。
【００２４】
トナー像が転写されたシートが、定着装置１２１に備えられた加熱ローラ１２３と加圧ローラ１２４の間を通過すると、そのトナー像に熱と圧力が印加されて、可視像がシートに定着される。加熱ローラ１２３の熱量は紙種に応じて最適に設定され、上述した定着が適切に行われる。可視像が定着されたシートは、定着装置１２１を経て折り装置１２５へ搬送される。
【００２５】
上記搬送されたシートは、ユーザが入力した設定に従って、折り装置１２５で折り処理が施される。折り処理が入力されていない場合は、上記シートは折り装置１２５を通過するのみである。また、ユーザが製本処理（例えば、パンチ、ステープル等）を設定した場合、通過したシートは製本装置１２６に搬送されて製本処理を施され、排紙トレイ１２７に積載、収容される。
【００２６】
上記手順により、複合機１００はコピーサービスを提供する。また、複合機１００が他のサービスを提供する場合も、画像読取部１０３と画像形成部１１０とが駆動して提供する。なお、複合機１００に備えられた各駆動部を駆動させて各サービスを提供する手段を後述の画像形成手段とする。
【００２７】
更に、ユーザの選択によって、複合機１００は、パンチ機能、ステープル機能、両面印刷機能、ページ集約（Ｘｉｎ１）機能、余白設定機能、複数枚印刷機能、スタンプ機能、ページ番号付与機能等を、コピーサービスとともに付加することが可能である。なお、後述の設定項目は、複合機１００が実行可能な機能を示す項目である。
【００２８】
ここで、パンチ機能とは、コピーの出力対象となる紙の端部に、所定数の穴を所定の間隔で開ける、または穴を開ける箇所に目印となる印刷を行う機能である。
【００２９】
また、ステープル機能とは、コピーの出力対象となる紙の端部に、一または所定数のステープルを所定の間隔で施す、またはステープルを施す箇所に目印となる印刷を行う機能である。
【００３０】
両面印刷機能とは、コピーの出力対象となる紙の両面に出力を行う機能であり、ページ集約（Ｘｉｎ１）機能とは、紙の片面に複数ページ（Ｘページ）分の出力を行う機能である。更に、複数枚印刷機能とは、同一の出力を複数枚の紙に対して行う機能であり、スタンプ機能とは、例えば紙全体に原稿の出力とは独立した「機密」といった情報を出力する機能であり、ページ番号付与機能とは、出力する紙に順次ページ番号に相当する番号を印刷する機能である。
【００３１】
その他、コピーサービスには様々な機能があるが、本発明と直接には関係しないため省略する。なお、複数の機能の組み合わせにより提供される機能、すなわち複合機能も複合機１００は提供可能である。
【００３２】
図２は、複合機１００に備えられた操作部２００の外観の一例を示す図である。ユーザは、上記操作部２００を用いて、上述のような機能提供についての設定条件等を入力する。設定条件の入力、各サービスの実行開始、各種設定や、設定変更等が行なわれる際に、上記操作部２００に備えられたタッチパネル２０１、タッチペン２０２、操作キー２０３が用いられる。タッチパネル２０１上に表示された画面（例えば、画像形成画面）内の設定項目等を押下することによって、設定項目等に関連付けられた設定画面が表示され、設定条件の入力が行われる。
【００３３】
タッチパネル２０１には、設定条件を入力する機能と当該設定条件を表示する機能（例えば、表示パネルが備える機能に該当する）が備えられている。すなわち、タッチパネル２０１上に表示された設定画面内の項目またはアイコンを押下することによって、その項目またはアイコンに関連付けられた設定条件が入力される。
【００３４】
なお、入力された設定条件に連動して項目またはアイコンの背景色が白色から灰色へ変更されるため、背景色の如何によって、入力された設定条件が確認される。
【００３５】
タッチパネル２０１の近傍には、タッチペン２０２が備えられており、ユーザがそのタッチペン２０２の先をタッチパネル２０１に接触させると、タッチパネル２０１下方に設けられたセンサが接触先を検知する。そのため、タッチペン２０２の接触により、キーボード画面のキーの押下や所定の手書き情報の入力が可能である。所定の手書き情報は、随時、所定の文字等に変換される。
【００３６】
次に、図３を用いて、複合機１００の制御系ハードウェアの構成を説明する。図３は、複合機における制御系ハードウェアの概略構成図である。ただし、本発明に直接には関係しない各部の詳細は省略している。
【００３７】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０５と操作部２００からのデータや指示を授受し、図１に示した各駆動部の動作を制御する。また、上記駆動部以外の後述する各手段（図４及び図１２に示す）についても、上記ＣＰＵ３０１がプログラムを実行することで当該各手段を実現する。上記ＲＯＭ３０２、ＨＤＤ３０４等には、後述する各手段を実現するプログラムやデータが記憶されている。
【００３８】
（実施の形態１）
次に図４から図９を参照しながら、実施の形態１に係る複合機１００の処理の手順について説明する。図４は、本実施の形態の複合機１００の機能ブロック図である。図５は、本実施の形態の複合機１００の既設定項目の表示処理を示すためのフローチャートである。
【００３９】
まず、画面切替手段４１０がタッチパネル２０１に初期の操作画面として、初期画面６００を表示する（図５：Ｓ１０１）。上記画面６００には、各種処理機能が表示される。例えば、図７（Ａ）に示すように、初期画面６００には、コピー機能に関する設定項目６０５が表示されている。更に、上記初期画面６００には、ファクシミリ機能に関するタブ６２５と、メモリ機能に関するタブ６２８等が表示されている。上記タブ（６２５，６２８）を押下することで、上記機能に関する設定項目を表示する構成になっている。
【００４０】
ここで、設定項目とは、複合機１００の各種機能を示す項目であり、上記設定項目をユーザが、押下することにより、各種処理機能に関する設定条件を入力するための設定画面を表示することが可能となる。
【００４１】
例えば、用紙の出力サイズを示す設定項目（「Ａ３  普通紙」、「Ａ４  普通紙」、「Ｂ３  普通紙」、「Ｂ４  普通紙」等）、両面印刷するか片面印刷するかを示す設定項目（「両面」、「片面」等）、カラー印刷にするかモノクロ印刷にするかを示す設定項目（「カラー」、「モノクロ」等）が表示されている。これらの設定項目を押下することで、設定項目に対応する設定条件が入力可能な設定画面を表示することができる。なお、初期画面６００には、選択される頻度の高い設定項目が表示されており、選択される頻度の低い設定項目は、後述の応用モード画面に表示される。当該応用モード画面は、「応用モード」の項目６４０を押下することで表示される。更に、初期画面６００の下部には、後述の既設定項目を表示するための既設定項目枠６５０が表示される。
【００４２】
図７（Ａ）に示すように、設定項目のうち、初期設定条件として、「Ａ４  普通紙」７０２、「片面」７０３、「自動濃度」７０４、「自動倍率」７０５、「モノクロ」７０６が予め選択されている。実施の形態１では、ユーザは、上記コピーに関する設定条件の内、拡大縮小の設定及び、ページ集約の設定を行うものとする。
【００４３】
上記初期画面６００に対して、ユーザがコピー機能に関する設定項目６０５の内、「拡大／縮小」の設定項目６３０を押下すると（図５：Ｓ１０２）、画面切替手段４１０がこれを受け付け、操作部２００のタッチパネル２０１に原稿を拡大縮小する際の倍率を設定可能な操作画面として、倍率設定画面６３１を表示する（図５：Ｓ１０３）。
【００４４】
上記のように、画面切替手段４１０が、倍率設定画面６３１を表示すると、ユーザは希望する倍率（原稿の拡大又は、縮小の倍率（拡大縮小倍率））を入力することが可能になる。例えば、ユーザは、倍率入力項目６３２に、所定の拡大倍率として、「１２０％」を入力し、「確認」の項目６３７を押下する。
【００４５】
上記のように、ユーザが所定の倍率を入力し、「確認」の項目６３７を押下すると、設定条件受付手段４２０がこれを受け付け（図５：Ｓ１０４）、当該設定条件受付手段４２０は、上記受け付けた拡大縮小倍率に関する設定条件を設定条件記憶手段４２１に記憶させる（図５：Ｓ１０５）。
【００４６】
上記のように、ユーザが所定の倍率を入力し、「確認」の項目６３７を押下すると、画面切替手段４１０がタッチパネル２０１に図７（Ｃ）に示すような出力指示画面６８０を表示する（図５：Ｓ１０６）。例えば、上記出力指示画面６８０には、ユーザにより受け付けた出力条件６８５として、「拡大１２０％」の項目６８６が表示される。なお、その他の出力条件６８５として（「Ａ４  普通紙」、「片面」、「自動濃度」、「モノクロ」）も表示される。
【００４７】
更に、上記のように、ユーザが所定の倍率を入力し、「確認」の項目６３７を押下すると、既設定項目表示受付手段４３０がこれを受け付け、当該拡大縮小倍率に対応する設定項目（「拡大／縮小」の設定項目）が既に設定されているか否か判断する。
【００４８】
例えば、上記既設定項目表示受付手段４３０は、後述の既設定項目枠６５０内に「拡大／縮小」の設定項目が表示されていなければ、「拡大／縮小」の設定項目は設定されていないと判断する。
【００４９】
ここで、上記設定項目が設定されていないと判断した場合に、上記既設定項目表示受付手段４３０は、「拡大／縮小」の設定項目を既設定項目６３９として操作部２００のタッチパネル２０１の既設定項目枠６５０に表示する（図５：Ｓ１０７ＹＥＳ→Ｓ１０８）。
【００５０】
本実施例では、例えば出力指示画面の下部に既設定項目枠６５０を設けて、当該既設定項目枠６５０内に上記既設定項目を設定された順番に表示することで、設定画面を表示する際に、ユーザに当該既設定項目６３９を認識し易くしている。本実施例では、上記既設定項目枠６５０は、全ての画面に表示する構成を採用する。なお、上記既設定項目枠６５０内に設けた「クリア」の項目６５１を押下することで、上記既設定項目が削除される構成を採用することもできる。
【００５１】
なお、既設定項目表示受付手段４３０が上記「拡大／縮小」の設定項目が既に設定された項目であると判断すると、「拡大／縮小」の既設定項目を表示した状態で、次のステップに進むことになる。
【００５２】
次に、ページ集約の設定をしたいユーザは、ページ集約の設定項目を表示させる必要がある。ここで、本実施例では、ページ集約の設定項目は、応用モード画面に表示されるものとする。更に、応用モード画面を表示させるための「応用モード」の項目６４０は、初期画面６００に表示されるものとする。
【００５３】
ユーザが出力指示画面６８０の「初期画面」の項目６４０を押下すると、画面切替手段４１０がこれを受け付け、タッチパネル２０１に初期画面を表示させる（図５：Ｓ１０９ＹＥＳ→Ｓ１０１）。上記初期画面に対して、ユーザが、「応用モード」の項目６４０を押下すると、画面切替手段４１０がこれを受け付け、図８（Ａ）に示すように、タッチパネル２０１に、操作画面として、応用モード画面７００を表示する（図５：Ｓ１０２ＮＯ→Ｓ１１１ＹＥＳ→Ｓ１１２）。当該応用モード画面７００には、上記初期画面６００には表示しなかった設定項目７１０が表示される。応用モード画面７００下部には、既設定項目枠６０５が表示され、当該枠内に、「拡大／縮小」の既設定項目６３９が表示されている。
【００５４】
当該応用モード画面７００に対して、ユーザが所定の設定項目７１０を押下すると、画面切替手段４１０が、設定項目７１０に対応する設定条件を入力するための画面を表示する（図５：Ｓ１１３ＹＥＳ→Ｓ１０３）。
【００５５】
本実施例では、上記応用モード画面７００に対して、ユーザは、設定項目７１０の内、「ページ集約」の項目７２０を押下する。
【００５６】
上記のように、「ページ集約」の項目７２０が押下されると、画面切替手段４１０がこれを受け付け、タッチパネル２０１に、ページ集約設定画面７２１（ページ集約の設定を行う操作画面）を表示させる。上記ページ集約設定画面７２１に対して、ユーザは、集約させたい原稿の枚数及び、集約させる際のレイアウト（縦配置、横配置の選択）を入力又は選択することになる。
【００５７】
本実施例では、ユーザは、原稿枚数入力項目７２５に集約させる原稿枚数として、２枚を入力し、レイアウトとして「横配置」の項目７２６を選択し、ページ集約設定画面７２１の「確認」の項目６３７を押下する。
【００５８】
上記のように、ユーザが、集約させたい原稿の枚数及びレイアウトを選択し、「確認」の項目６３７を押下すると、拡大縮小倍率に関する設定条件と同じように、設定条件受付手段４２０がこれを受け付け（図５：Ｓ１０４）、受け付けた設定条件を設定条件記憶手段４２１に記憶させる（図５：Ｓ１０５）。
【００５９】
上記のように、ユーザが集約させたい原稿の枚数及びレイアウトを選択し、「確認」の項目６３７を押下すると、画面切替手段４１０がタッチパネル２０１に図７（Ｃ）に示すような出力指示画面６８０を表示する（図５：Ｓ１０６）。上記出力指示画面６８０には、出力条件６８５として「集約２ｉｎ１  横」の項目６８７が追加される。
【００６０】
更に、上記のように、ユーザが集約させたい原稿の枚数及びレイアウトを選択し、「確認」の項目６３７を押下すると、既設定項目表示受付手段４３０がこれを受け付ける。そして、既設定項目表示受付手段４３０は、ページ集約に関する設定項目７２０が既に設定された項目であるか否か判断し、既に設定された項目でない場合に、上記ページ集約に関する設定項目７２０を既設定項目としてタッチパネル２０１の既設定項目枠６５０内に表示する。
【００６１】
このとき、既設定項目表示受付手段４３０は、既設定項目枠６５０内に表示された拡大縮小の既設定項目６３０の隣に、ページ集約の既設定項目７２０を表示させることで、拡大縮小の既設定項目６３０の次に、上記既設定項目が設定されたことを示すことができる。
【００６２】
ユーザが設定条件を更に追加したい場合には、上記初期画面６００又は、応用モード画面７００に戻っていずれかの設定項目を押下して上記の処理を繰り返すことになる（図５：Ｓ１０９ＹＥＳ→Ｓ１０１）。
【００６３】
また、上記応用モード画面７００に対して、ユーザが設定項目を押下することなく、「キャンセル」の項目６４０を押下すると、初期画面６００に戻ることができる（図５：Ｓ１１３ＮＯ→Ｓ１０１）。
【００６４】
ユーザがこれ以上の設定を望まない場合は、原稿を載置し、操作部２００のスタートキー２０５を押下すると、画像形成手段４５０が、これを受け付け、設定条件記憶手段４２１に記憶された設定条件で画像形成することになる（図５：Ｓ１０９ＮＯ→Ｓ１１０ＹＥＳ→Ｓ１１５→Ｅｎｄ）。
【００６５】
なお、設定条件の変更をせずにデフォルトのままで、画像形成を行いたい場合は、「初期画面」の項目６３５及び「応用モード」の項目６４０を押下することなく、操作部２００のスタートキー２０５を押下すると、画像形成手段４５０が、これを受け付け、設定条件記憶手段４２１に記憶された設定条件で画像形成することになる（図５：Ｓ１０２ＮＯ→Ｓ１１１ＮＯ→Ｓ１１４ＹＥＳ→Ｅｎｄ）。
【００６６】
なお、後述の変更処理のために、既設定項目表示受付手段４３０は、画像形成手段４５０による画像形成が終了した後も所定時間、既設定項目枠６５０内に既設定項目を表示する構成を採用する。
【００６７】
例えば、既設定項目表示手段４３０は、設定条件記憶手段４２１に記憶された設定条件を取得し、当該設定条件に対応する設定項目を既設定項目として既設定項目枠６５０内に表示する構成を採用してもよい。
【００６８】
次に、ユーザが画像形成された出力結果を確認して、設定条件を変更したい場合には、上記既設定項目枠６５０内に表示されているいずれかの既設定項目（６３９，７２９）を押下する（図６：Ｓ２０１ＹＥＳ）。本実施例では、ユーザは、「拡大／縮小」の既設定項目６３９を押下する。
【００６９】
上記のように、既設定項目が押下されると、変更手段４４０がこれを受け付け、所定の既設定項目が押下された旨を既設定項目表示受付手段４３０に通知する。本実施例では、変更手段４４０は、「拡大／縮小」の既設定項目６３９が押下された旨を既設定項目表示受付手段４３０に通知する。
【００７０】
上記のように、変更手段４４０が、既設定項目が押下された旨を既設定項目表示受付手段４３０に通知すると、当該既設定項目表示受付手段４３０は、受け付けた既設定項目に対応した設定画面をタッチパネル２０１に表示させる旨を画面切替手段４１０に命じる。これを受けて、画面切替手段４１０は、上記既設定項目に対応する設定画面を表示する（図６：Ｓ２０２）。上記設定画面を表示する際に、画面切替手段４１０は、設定条件記憶手段４２１を参照し、設定条件記憶手段４２１に記憶された、上記既設定項目の設定条件を取得する。そして、画面切替手段４１０は、上記設定画面に、取得した上記設定条件を表示する。
【００７１】
本実施例では、図９（Ａ）に示すように、画面切替手段４１０は、「拡大／縮小」の既設定項目に対応する設定画面である倍率設定画面６３１をタッチパネル２０１に表示することになる。そして、画面切替手段４１０は、設定条件記憶手段４２１を参照し、「拡大／縮小」の既設定項目６３９に対応する設定条件である、拡大倍率「１２０％」を取得し、上記倍率設定画面６３１に、取得した上記設定条件を表示する。
【００７２】
次に、タッチパネル２０１に表示された設定画面に対して、ユーザが設定条件の変更を行うことになる。本実施例では、図９（Ｂ）に示すように、上記倍率設定画面６３１に対して、ユーザが、拡大倍率を「１２０％」から「１３０％」に変更する。
【００７３】
上記のように、ユーザが設定条件の変更を行い、「確認」の項目６３７を押下すると、設定条件受付手段４２０がこれを受け付け（図６：Ｓ２０３）、設定条件記憶手段４２１に記憶された初期の設定条件を変更後の設定条件に書き換える（図６：Ｓ２０４）。
【００７４】
本実施例では、変更手段４４０は、設定条件記憶手段４２１に記憶された「拡大／縮小」の設定項目に対応する拡大倍率の設定条件を「１２０％」から「１３０％」に書き換える（図６：Ｓ２０４）。
【００７５】
上記のように、ユーザが設定条件の変更を行い、「確認」の項目６３７を押下すると、画面切替手段４１０がタッチパネル２０１に図９（Ｃ）に示すような出力指示画面６８０を表示する（図６：Ｓ２０５）。なお、上記出力指示画面６８０には、出力条件６８５として、「拡大１３０％」が「拡大１２０％」に変更されて表示される。
【００７６】
ユーザが設定条件を更に変更したい場合には、再度上記いずれかの既設定項目を押下して上記の処理を繰り返すことになる（図６：Ｓ２０５→Ｓ２０１ＹＥＳ）。
【００７７】
ユーザがこれ以上の条件の変更を望まない場合、原稿を載置し、上記既設定項目を押下することなく、操作部２００のスタートキー２０５を押下すると、画像形成手段４５０が、これを受け付け、設定条件記憶手段４２１に記憶された設定条件で画像形成することになる（図６：Ｓ２０１ＮＯ→Ｓ２０６→Ｅｎｄ）。
【００７８】
なお、設定条件の変更だけでなく、設定条件の追加をしたい場合は、初期画面６００又は応用モード画面７００を表示させて、設定条件の追加ができることはいうまでもない。
【００７９】
上記構成の複合機１００は、画像形成処理を実行した後に、既設定項目を押下することにより、設定条件の変更を行った。これに対して、画像形成処理を実行する前に、設定条件を変更する構成を採用してももちろん構わない。図１０のフローチャートを参照して当該変更処理を説明する。なお、図１０のステップＳ３０１からステップＳ３０９は、図５のステップＳ１０１からステップＳ１０９と同じであり、更に、図１０のステップＳ３１３からステップＳ３１６は、図５のステップＳ１１１からステップＳ１１４と同じであるので、説明を省略する。
【００８０】
既設定項目表示受付手段４３０が既設定項目をタッチパネル２０１の既設定項目枠６５０内に表示すると（図１０：Ｓ３０８）、設定条件を変更したいユーザは、既設定項目枠６５０内に表示された既設定項目を押下する（図１０：Ｓ３０９ＮＯ→Ｓ３１０ＹＥＳ）。これを受けて、既設定項目表示受付手段４３０が、受け付けた既設定項目に対応した設定画面をタッチパネル２０１に表示させる旨を画面切替手段４１０に命じる。これを受けて、画面切替手段４１０は、上記既設定項目に対応する設定画面を表示する（図１０：Ｓ３０３）。
【００８１】
そして、上記設定画面に対して、ユーザが設定条件の変更を行うと、変更手段４４０がこれを受け付け、上記と同様に、設定条件受付手段４２０が設定条件記憶手段４２１に記憶された初期の設定条件を変更後の設定条件に書き換える。
【００８２】
ユーザがこれ以上の設定条件の変更を望まない場合、上記既設定項目を押下することなく、操作部２００のスタートキー２０５を押下すると、画像形成手段４５０が、これを受け付け、設定条件記憶手段４２１に記憶された設定条件で画像形成することになる（図１０：Ｓ３０９ＮＯ→Ｓ３１０ＮＯ→Ｓ３１１ＹＥＳ→Ｓ３１２→Ｅｎｄ）。
【００８３】
（実施の形態２）
実施の形態１の複合機１００は、設定画面を表示するための既設定項目をタッチパネル２０１の既設定項目枠６５０内に表示した。実施の形態２の複合機１００は、上記に加えて、設定項目の内容の設定で画像形成される仕上がりイメージを模した画像（ポップアップ画像）をポップアップ表示する。図１１、図１２、図１３を参照して、実施の形態２の複合機１００を説明する。
【００８４】
ここで、ポップアップ画像とは、出力対象（例えば印刷物）の仕上りイメージを表す記号化した図形または絵文字のことである。例えば、ページ集約の項目が選択された際に、その印刷物の仕上がりイメージを表わすポップアップ画像は、１ページに複数の原稿が印刷されたことを示す図形となる。他の項目に関しても同様である。
【００８５】
実施の形態１のステップＳ１０８（図５参照）及びステップＳ３０８（図１０参照）に示したように、既設定項目表示受付手段４３０がタッチパネル２０１の既設定項目枠６５０に既設定項目を表示すると（図１３（Ｂ）参照）、ユーザが、上記既設定項目に関するポップアップ画像を表示させたい場合、上記既設定項目の内から、いずれかの既設定項目を選択する。本実施例では、「ページ集約」の既設定項目７２９が選択されるとする。
【００８６】
例えば、ユーザが、図１３（Ｂ）に示す「ポップアップ」の項目１０２０を押下し（図１１：Ｓ４０１）、更に、ユーザが、いずれかの既設定項目を押下し（図１１：Ｓ４０２）、「選択」の項目１０３０押下をすることで既設定項目が選択され、ポップアップ画像表示手段４６０がポップアップ表示させる既設定項目を受け付ける。
【００８７】
本実施例では、ユーザが「ポップアップ」の項目１０２０を押下した後、「ページ集約」の既設定項目７２９を押下し、更に、「選択」の項目１０３０を押下すると、ポップアップ画像表示手段４６０は、ポップアップ表示させる既設定項目として「ページ集約」の既設定項目７２９を取得する。
【００８８】
上記のように、ポップアップ画像表示手段４６０が、ポップアップ表示させる既設定項目を取得すると、当該ポップアップ画像表示手段４６０は、設定条件記憶手段４２１を参照して、ユーザにより選択された既設定項目の設定条件を取得する。
【００８９】
本実施例では、ポップアップ画像表示手段４６０は、設定条件記憶手段４２１を参照して、取得した「ページ集約」の既設定項目７２９の設定条件である、集約させたい原稿の枚数「２枚」（２ｉｎ１）及び、レイアウト「横配置」を取得する。
【００９０】
上記のように、ポップアップ画像表示手段４６０が選択された既設定項目の設定条件を取得すると、当該ポップアップ画像表示手段４６０は、ポップアップ画像記憶手段４６１に記憶されたポップアップ画像テーブル１０００を参照する。
【００９１】
図１３（Ａ）に示すように、ポップアップ画像テーブル１０００には、設定項目１００１と当該設定項目で設定可能な設定条件１００２と、ポップアップ画像１００３が関連付けられて記憶されている。上記ポップアップ画像表示手段４６０は、ポップアップ画像テーブル１０００を参照することにより、取得した既設定項目及び、当該既設定項目の設定条件と、上記ポップアップ画像テーブル１０００に基づいて、ポップアップ画像１００３を取得する。
【００９２】
本実施例では、ポップアップ画像取得手段４６０は、ポップアップ画像テーブル１０００を参照して、「ページ集約」の設定条件に対応するポップアップ画像である「Ａ００１」の画像１００４を取得する。
【００９３】
上記のように、ポップアップ画像表示手段４６０が、ポップアップ画像を取得すると、当該ポップアップ画像表示手段４６０は、取得したポップアップ画像をユーザに選択された既設定項目に対してポップアップ表示する（図１１：Ｓ４０３）。
【００９４】
本実施例では、図１３（Ｃ）に示すように、ポップアップ画像表示手段４６０は、選択された「ページ集約」の既設定項目７２９の近傍に、取得したポップアップ画像である「Ａ００１」の画像１００４を表示する（ポップアップ表示）。なお、ポップアップ画像を表示する時間は所定の時間でよい。
【００９５】
次に、設定条件を変更したいユーザは、既設定項目枠６５０内に表示された既設定項目を押下する（図１１：Ｓ４０４ＹＥＳ）。これを受けて、変更手段４４０が、押下された既設定項目を既設定項目表示受付手段４３０に通知する。
【００９６】
上記のように、変更手段４４０が、既設定項目が押下された旨を既設定項目表示受付手段４３０に通知すると、当該既設定項目表示受付手段４３０は、受け付けた既設定項目に対応した設定画面をタッチパネル２０１に表示させる旨を画面切替手段４１０に命じる。これを受けて、画面切替手段４１０は、上記既設定項目に対応する設定画面を表示する（図１１：Ｓ４０５）。
【００９７】
ユーザが設定条件の変更を行い、「確認」の項目６３７を押下すると、変更手段４４０がこれを受け付け（図１１：Ｓ４０６）、設定条件記憶手段４２１に記憶された初期の設定条件を変更後の設定条件に書き換える（図１１：Ｓ４０７）。
【００９８】
上記のように、ユーザが設定条件の変更を行い、「確認」の項目６３７を押下すると、画面切替手段４１０がタッチパネル２０１に出力指示画面６８０を表示する（図１１：Ｓ４０８）。
【００９９】
ユーザがこれ以上の条件の変更を望まない場合、原稿を載置し、上記既設定項目を押下することなく、操作部２００のスタートキー２０５を押下すると、画像形成手段４５０が、これを受け付け、設定条件記憶手段４２１に記憶された設定条件で画像形成することになる（図１１：Ｓ４０３ＮＯ→Ｓ４０９ＹＥＳ→Ｓ４１０→Ｅｎｄ）。
【０１００】
（その他）
実施の形態２では、選択されたいずれか一つの既設定項目に対して、ポップアップ画像を表示させる構成を採用した。これに対して、二以上の既設定項目を選択可能とし、各既設定項目の設定条件を組合せた状態を示すポップアップ画像を表示する構成を採用することができる。
【０１０１】
本実施例では、操作画面に表示された複数の既設定項目が選択可能な構成を採用する。例えば、図１４（Ｂ）に示すように、ユーザが、「ポップアップ」の項目１０２０を押下して、複数の既設定項目を押下し、「選択」の項目１０３０を押下すると、ポップアップ画像表示手段４６０が選択された複数の既設定項目を受け付ける構成を採用してもよい。そして、ポップアップ画像取得手段４６０は、設定条件記憶手段４２１を参照することで選択された複数の既設定項目の設定条件を取得する。
【０１０２】
本実施例では、ユーザは、「ページ集約」の既設定項目７２９と「ステープル」の既設定項目１０１０を選択するものとする。そして、ポップアップ画像表示手段４６０は、設定条件記憶手段４２１を参照して、ページ集約の設定条件（例えば集約させたい原稿の枚数「２枚」（２ｉｎ１）及び、レイアウト「横配置」）と、ステープルの設定条件（例えば１点左上）を取得する。
【０１０３】
次に、ポップアップ画像表示手段４６０は、ポップアップ画像記憶手段４６１に記憶されたポップアップ画像テーブル１０００を参照する。
【０１０４】
ポップアップ画像テーブル１０００には、複数の設定項目と、各設定項目に対応する設定条件と、当該設定条件を組み合わせた場合の仕上がりを示すポップアップ画像が関連付けて記憶されている。本実施例では、図１４（Ａ）に示すように、ポップアップ画像テーブル１０００に、「ページ集約」の設定項目１００１に対応する設定条件１００２と、「ステープル」の設定項目１０１１に対応する設定条件１０１２と、上記各設定条件を組合せた場合の仕上がりを示すポップアップ画像１００３が関連付けて記憶されている。上記ポップアップ画像表示手段４６０は、ポップアップ画像テーブル１０００を参照することにより、上記設定条件と、ポップアップ画像テーブルに基づいて、ポップアップ画像を取得する。
【０１０５】
本実施例では、ポップアップ画像表示手段４６０は、ポップアップ画像テーブル１０００を参照することで、ページ集約の設定条件及び、ステープルの設定条件と関連付けられているポップアップ画像である「Ｂ００１」の画像１０１３を取得する。そして、ポップアップ画像表示手段４６０は、取得した画像をポップアップ表示する。
【０１０６】
実施の形態１及び２では、既設定項目を操作画面に表示する構成を採用した。これに対して、既設定項目の機能を示すアイコンを操作画面に表示する構成を採用することができる。
【０１０７】
例えば、図示しないアイコン画像記憶手段に、設定項目と当該設定項目に対応するアイコン画像を関連付けて記憶させる。そして、既設定項目表示受付手段４３０は、上記アイコン画像記憶手段を参照して、設定項目に対応するアイコン画像（１３０１、１３０２）を取得し、図１４（Ｃ）に示すように、取得したアイコン画像（１３０１，１３０２）を操作画面の既設定項目枠６５０内に表示する構成を採用することができる。
【０１０８】
実施の形態１及び２では、コピー機能に関して本発明の画像形成装置の処理を説明したが、本発明の画像形成装置は、コピー機能だけでなく、ファクシミリ機能、ボックス機能にも適用できることは言うまでも無い。
【産業上の利用可能性】
【０１０９】
本発明を使用すると、既に設定された設定項目を既設定項目として操作画面に表示させて、当該既設定項目を押下すると、設定項目に対応する設定画面を表示することができるので、設定条件の確認や、設定条件の変更を実行する際に、初期画面に戻らずに直接設定画面を表示することが可能となる。したがって、本発明に係る画像形成装置は、複写機、プリンタ、スキャナ、複合機等に有用であり、設定条件の確認及び変更に有効であり、その産業上の利用可能性は大きい。
【符号の説明】
【０１１０】
１００  複合機
４１０  画面切替手段
４２０  設定条件受付手段
４２１  設定条件記憶手段
４３０  既設定項目表示手段
４４０  変更手段
４５０  画像形成手段
４６０  ポップアップ画像表示手段
４６１  ポップアップ画像記憶手段
６５０  既設定項目枠
【図１】
2010268147.tif 000003
【図２】
2010268147.tif 000004
【図３】
2010268147.tif 000005
【図４】
2010268147.tif 000006
【図５】
2010268147.tif 000007
【図６】
2010268147.tif 000008
【図７】
2010268147.tif 000009
【図８】
2010268147.tif 000010
【図９】
2010268147.tif 000011
【図１０】
2010268147.tif 000012
【図１１】
2010268147.tif 000013
【図１２】
2010268147.tif 000014
【図１３】
2010268147.tif 000015
【図１４】
2010268147.tif 000016